(57)【特許請求の範囲】
【請求項１】
外部装置との間で送受信される信号を終端し、制御主体となる光回線終端装置としての第１ＯＬＴ（Optical Line Terminal）と、前記制御主体に対して客体となる光回線終端装置としての複数のＯＮＵ（Optical Network Unit）とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送されるネットワークに用いられる前記第１ＯＬＴを有する光伝送装置であって、
一方の前記ＯＮＵから他方の前記ＯＮＵへデータ転送を折り返す当該ＯＮＵと同じ客体の光回線終端装置として同じノード内に備えられた中継用の第２ＯＬＴを介したＯＮＵ間の経路に、当該第２ＯＬＴで折り返されたデータを転送するパスを設定する制御を行うパス設定制御手段を備え、
前記パス設定制御手段は、
前記ＯＮＵ間で右回りまたは左回りのパスについて、一方を前記第１ＯＬＴの折り返しパスと設定し、他方を前記第２ＯＬＴと同じノード内に備えられたＯＮＵを通過するパスと設定する
ことを特徴とする光伝送装置。
【請求項２】
前記パス設定制御手段は、
前記ＯＮＵ間で前記２本の光伝送路を同一の２つのデータが互いに反対方向に経由する際に、一方の光伝送路を一方向に伝送するデータを、前記第２ＯＬＴで他方の光伝送路を他方向へ伝送するように折り返す第２ＯＬＴの折り返しパスを設定し、
前記第１ＯＬＴの折り返しパスにおいて、送信側の前記ＯＮＵから前記第１ＯＬＴの折り返しまでは上りとして送信され、前記第１ＯＬＴで折り返されて下りとして受信側の前記ＯＮＵへ転送され、
前記第２ＯＬＴの折り返しパスにおいて、送信側の前記ＯＮＵから前記第１ＯＬＴへ一方の光伝送路を上り方向に伝送するデータを、前記第２ＯＬＴで他方の光伝送路を下り方向へ伝送するように折り返して伝送するようにパスの設定を制御する
ことを特徴とする請求項１に記載の光伝送装置。
【請求項３】
外部装置との間で送受信される信号を終端し、制御主体となる光回線終端装置としての第１ＯＬＴ（Optical Line Terminal）を有する第１光伝送装置と、前記制御主体に対して客体となる光回線終端装置としてのＯＮＵ（Optical Network Unit）を有する複数の第２光伝送装置とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送される光集線ネットワークシステムであって、
複数の第２光伝送装置のうち、少なくとも一つは、
一方の前記ＯＮＵから他方の前記ＯＮＵへデータ転送を折り返す中継用の第２ＯＬＴを備え、
前記第１光伝送装置は、前記第２ＯＬＴを介した前記ＯＮＵ間の経路に、当該第２ＯＬＴで折り返されたデータを転送するパスを設定する制御を行うパス設定制御手段を備え、
前記パス設定制御手段は、
前記第２光伝送装置間で右回りまたは左回りのパスについて、一方を前記第１ＯＬＴの折り返しパスと設定し、他方を前記第２ＯＬＴを有する前記第２光伝送装置を通過するパスと設定する
ことを特徴とする光集線ネットワークシステム。
【請求項４】
前記第２ＯＬＴを有する第２光伝送装置内のＯＮＵは、
他の前記ＯＮＵから前記第１ＯＬＴへの上り中継、および、前記ＯＮＵ間通信を中継する場合、
前記上り中継は、前記ＯＮＵから転送し、前記ＯＮＵ間通信は、前記第２ＯＬＴがデータを一方の光伝送路の上り方向から、他方の光伝送路の下り方向へ折り返して転送する
ことを特徴とする請求項３に記載の光集線ネットワークシステム。
【請求項５】
前記第２ＯＬＴを有する第２光伝送装置内のＯＮＵは、
他の前記ＯＮＵから前記第１ＯＬＴへの上り中継、および、前記ＯＮＵ間通信を中継する場合、
前記上り中継は、スルーして送信し、前記ＯＮＵ間通信は、前記第２ＯＬＴがデータを一方の光伝送路の上り方向から、他方の光伝送路の下り方向へ折り返して転送する
ことを特徴とする請求項３に記載の光集線ネットワークシステム。
【請求項６】
前記第２ＯＬＴを有する第２光伝送装置内のＯＮＵは、
他の前記ＯＮＵから前記第１ＯＬＴへの上り中継、および、前記ＯＮＵ間通信を中継する場合、前記上り中継およびＯＮＵ間通信をともに光分岐してスルーおよび分離を両方行い、前記上り中継は、スルーして送信した側を利用して伝送し、前記ＯＮＵ間通信は分離した側を利用し、前記第２ＯＬＴでデータを一方の光伝送路の上り方向から、他方の光伝送路の下り方向へ折り返して転送する
ことを特徴とする請求項３に記載の光集線ネットワークシステム。
【請求項７】
外部装置との間で送受信される信号を終端し、制御主体となる光回線終端装置としての第１ＯＬＴ（Optical Line Terminal）を有する第１光伝送装置と、前記制御主体に対して客体となる光回線終端装置としてのＯＮＵ（Optical Network Unit）を有する複数の第２光伝送装置とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送される光集線ネットワークシステムの運用制御方法であって、
複数の第２光伝送装置のうち、少なくとも一つは、
一方の前記ＯＮＵから他方の前記ＯＮＵへデータ転送を折り返す中継用の第２ＯＬＴを備え、
前記第１光伝送装置は、前記第２ＯＬＴを介した前記ＯＮＵ間の経路に、当該第２ＯＬＴで折り返されたデータを転送するパスを設定する制御を行うパス設定制御ステップを実行し、
前記パス設定制御ステップにおいて、
前記第２光伝送装置間で右回りまたは左回りのパスについて、一方を前記第１ＯＬＴの折り返しパスと設定し、他方を前記第２ＯＬＴを有する前記第２光伝送装置を通過するパスと設定する
ことを特徴とする運用制御方法。
【請求項８】
外部装置との間で送受信される信号を終端し、制御主体となる光回線終端装置としての第１ＯＬＴ（Optical Line Terminal）と、前記制御主体に対して客体となる光回線終端装置としての複数のＯＮＵ（Optical Network Unit）とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送されるネットワークに用いられる前記第１ＯＬＴを有する光伝送装置としてのコンピュータを、
一方の前記ＯＮＵから他方の前記ＯＮＵへデータ転送を折り返す当該ＯＮＵと同じ客体の光回線終端装置として同じノード内に備えられた中継用の第２ＯＬＴを介したＯＮＵ間の経路に、当該第２ＯＬＴで折り返されたデータを転送するパスを設定する制御を行うとともに、前記ＯＮＵ間で右回りまたは左回りのパスについて、一方を前記第１ＯＬＴの折り返しパスと設定し、他方を前記第２ＯＬＴと同じノード内に備えられたＯＮＵを通過するパスと設定するパス設定制御手段、
として機能させるためのプログラム。
【発明の詳細な説明】
【技術分野】
【０００１】
本発明は、ＰＯＮ（Passive Optical Network）に代表される、光ＴＤＭ技術を用いた通信用のデバイスおよび装置を活用した光伝送装置、光集線ネットワークシステム、運用制御方法およびプログラムに関する。
【背景技術】
【０００２】
従来、光ＴＤＭ技術を用いたネットワークとして、例えばＰＯＮがブロードバンドアクセス網を構成する一手段として検討または導入されている。ＰＯＮは、光ファイバ網の途中に分岐装置が挿入された、１本の光ファイバが複数の加入者で共有可能な光ネットワークである。
【０００３】
ブロードバンドアクセス網におけるＰＯＮでは、局舎に配置されるＯＬＴ（Optical Line Terminal）と、ユーザ宅に配置されるＯＮＵ（Optical Network Unit）とが光ファイバおよび光カプラを介して接続される。通常、１台のＯＬＴに対して複数台のＯＮＵが接続され、このＯＬＴ−ＯＮＵ間において、ＴＤＭ（Time Division Multiplexing）またはＴＤＭＡ（Time Division Multiple Access）を適用して光の領域でデータの多重分離を行いつつデータを伝送することにより、光ファイバ心線やＯＬＴ等のリソースが複数ユーザで共用可能となっている。なお、ＯＬＴは局舎側の光回線終端装置であり、ＯＮＵは、ユーザ宅側の光回線終端装置としての加入者装置である。
【０００４】
ＰＯＮの物理トポロジとしては、ツリー構成が多く採用されているが、非特許文献１に記載のように、リング構成も検討されている。リングトポロジは、ツリー構成と異なり、ＯＬＴ−ＯＮＵ間で物理的に独立な２経路を設定することができ、高信頼化に適している。リングトポロジでは、ＰＯＮにおいてもＯＬＴ−ＯＮＵ間で１＋１プロテクションが可能である。この種のリング構成のＰＯＮにおけるＯＬＴ−ＯＮＵ間の１＋１プロテクション（後述）の構成例を図８に示す。
【０００５】
図８はリングトポロジにＰＯＮを適用した場合の光集線ネットワークシステム１０の構成を示すブロック図である。
図８の光集線ネットワークシステム１０は、代表ノードとしての光伝送装置１１と、ノードとしての複数の光伝送装置１２，１３，１４とが、物理的に独立した２本の信号伝送路としての第１光ファイバ１６および第２光ファイバ１７によってリング状に接続されている。この２本のリング状の光ファイバ１６，１７の伝送路によって、矢印で示す互いに異なる方向の右回り方向と左回り方向にデータを伝送でき、何れか一方の伝送路に障害が発生して伝送不能となった場合に、他方の伝送路で伝送が可能となっている。これが上述した１＋１プロテクションの構成である。なお、光伝送装置１１は代表ノード１１とも称し、各光伝送装置１２，１３，１４はノード１２，１３，１４とも称す。
【０００６】
例えばノード１３のＩＯ（Input／Output）部３４ａに接続されたホスト４３ａから送信されるクライアント信号を、代表ノード１１のＩＯ部２０ａに接続されたホスト４１ａへ伝送する場合を考える。
ＩＯ部３４ａは、第１光ファイバ１６を介して矢印Ｙ１で示す右回り、または第２光ファイバ１７を介して矢印Ｙ２で示す左回りそれぞれの経路にデータを流すため、同じデータをコピーして伝送する。そして、ＩＯ部２０ａは、右回り、左回りそれぞれから同じデータを受信すると、それらを１つのデータとして（例えばどちらか片方のデータを破棄して）ホストコンピュータ４１ａに転送する。
【０００７】
なお、矢印Ｙ１、Ｙ２は、ともにノード１３（ＯＮＵ３２ａ、３２ｂ）から代表ノード１１（ＯＳＵ（Optical Subscriber Unit）２６ａ、２６ｂ）へのデータの流れであり、この流れ方向を以下では「上り」とする。一方、代表ノード１１→ノード１３へのデータの流れ方向を「下り」とする。
つまり、同じ上り方向として、２つのリング状の経路を利用して右回りと左回りとにデータ伝送が可能となっている。このため、何れか一方の経路に障害が発生して伝送不能となった場合に、他方の経路でデータ伝送を行うことができる。例えば、第１光ファイバ１６に障害が発生して伝送不能となった場合に、第２光ファイバ１７でデータ伝送を行うことができる。したがって、一方の経路に障害が発生した場合でも、データ伝送の遮断を抑制できる。
【０００８】
［代表ノード］
代表ノード１１は、複数のＩＯ（入出力処理）部２０ａ〜２０ｎと、ＯＬＴ２１と、光多重分離部２３ａ，２３ｂと、を備えて構成される。ＯＬＴ２１は、ＳＷ（スイッチ）部２５と、ＯＳＵ２６ａ，２６ｂと、ＤＷＢＡ（Dynamic Wavelength and Bandwidth Assignment）機能部２７と、を備える。
【０００９】
複数のＩＯ部２０ａ〜２０ｎは、代表ノード１１の外部の複数のホストコンピュータ（ホストともいう）４１ａ〜４１ｎと１対１で接続され、ホスト４１ａ〜４１ｎと信号送受信を行うＳＮＩ−ＬＴ（application Server-Network Interface-Line Terminal）である。
【００１０】
ＩＯ部２０ａ〜２０ｎは、ホスト４１ａ〜４１ｎから送信されて来たクライアント信号を終端してＳＷ部２５へ送信し、また、ＳＷ部２５からの信号をクライアント信号としてホスト４１ａ〜４１ｎへ送信する。
【００１１】
光多重分離部２３ａ，２３ｂは、第１および第２光ファイバ１６，１７を介して伝送される光信号としてのデータに対して、多重化、分離、スルー（通過）の何れかの処理を行う。例えば、光多重分離部２３ａは、ＯＳＵ２６ａからのパケットデータを多重化して第１光ファイバ１６を介してノード１４へ伝送し、ノード１２からの光バーストデータを分離してＯＳＵ２６ａへ出力する処理を行う。
【００１２】
ＳＷ部２５は、通常の電気パケットスイッチであり、Ｌ２−ＳＷ（レイヤ２スイッチ）と同等なスイッチである。このＳＷ部２５は、事前に設定されたＭＡＣアドレス（Media Access Control address）とポートとの対応テーブルに従い、ＭＡＣアドレスによる宛先のホスト（例えば４１ａ）へ、ＯＳＵ２６ａからのパケットデータをＳＷ部２５およびＩＯ部２０ａを介して転送する。
【００１３】
ＯＳＵ２６ａ，２６ｂは、ＰＤＳ(Passive Double Star)方式の光回線終端装置である。このＯＳＵ２６ａ，２６ｂは、ノード１２〜１４のＯＮＵ３２ａ，３２ｂからの光バーストデータを受信してＳＷ部２５へ出力し、また、ＳＷ部２５からのパケットデータを受け取り、ＯＮＵ３２ａ，３２ｂへ光データ送信する。この構成では、ＯＳＵ２６ａ，２６ｂとＯＮＵ３２ａ，３２ｂ間がＰＯＮ区間となっている。
【００１４】
ＤＷＢＡ機能部２７は、動的波長帯域割当の機能を有する。動的波長帯域割当とは、ノード１２〜１４のＯＮＵ３２ａ，３２ｂに対して複数波長を総合した総帯域を効率良く分配すべく、動的に波長を切替えて帯域を割り当てることである。
【００１５】
［ノード（光伝送装置）］
ノード１２，１３，１４は何れも同構成であり、ノード１３を代表して示す。ノード１３は、複数の光多重分離部３１ａ，３１ｂと、複数のＯＮＵ（Optical Network Unit）３２ａ，３２ｂと、ＭＵＸ／ＳＷ部３３と、複数のＩＯ部３４ａ〜３４ｎと、を備えて構成される。
【００１６】
光多重分離部３１ａ，３１ｂは、上記代表ノード１１の光多重分離部２３ａ，２３ｂと同様に多重化、分離、スルーの何れかの処理を行う。例えば、光多重分離部３１ａは、ＯＮＵ３２ａからのパケットデータを多重化して第１光ファイバ１６を介してノード１２へ伝送し、ノード１４からの光バーストデータを分離してＯＮＵ３２ａへ出力し、または、ノード１４からの光バーストデータをスルーしてノード１２へ伝送する処理を行う。
【００１７】
ＯＮＵ３２ａ，３２ｂは、ＰＯＮに係るデータの送受信を行う。このＯＮＵ３２ａ，３２ｂは、代表ノード１１のＯＳＵ２６ａ，２６ｂからの光データを受信してＭＵＸ／ＳＷ部３３へ出力し、また、ＭＵＸ／ＳＷ部３３からのパケットデータを受信して、ＯＳＵ２６ａ，２６ｂへ光バースト送信する。
【００１８】
ＩＯ部３４ａ〜３４ｎは、代表ノード１１でないノード１３に接続されるホスト４３ａ〜４３ｎと信号送受信を行うＵＮＩ−ＬＴ（User-Network Interface -Line Terminal）である。ノード１３のＩＯ部３４ａ〜３４ｎは、ホスト４３ａ〜４３ｎからのクライアント信号の終端を行い、ＭＵＸ／ＳＷ部３３へ送る。ＭＵＸ／ＳＷ部３３からの信号をクライアント信号としてホスト４３ａ〜４３ｎへ送る。他のノード１２，１４においても、同様に図示せぬＩＯ部にホスト４２ａ〜４２ｎ，４４ａ〜４４ｎ（図示は１つのみ）が１対１で接続されている。
【００１９】
光集線ネットワークシステム１０においては、例えばノード１３のＩＯ部３４ａに接続されたホスト４３ａから送信されるクライアント信号を、代表ノード１１のＩＯ部２０ａに接続されたホスト４１ａへ伝送する場合、第１光ファイバ１６を介して矢印Ｙ１で示す右回り、または第２光ファイバ１７を介して矢印Ｙ２で示す左回りに伝送可能となっている。つまり、２つのリング状の経路を利用して右回りと左回りとにデータ伝送が可能となっている。このため、何れか一方の経路に障害が発生して伝送不能となった場合に、他方の経路でデータ伝送を行うことができる。例えば、第１光ファイバ１６に障害が発生して伝送不能となった場合に、第２光ファイバ１７でデータ伝送を行うことができる。したがって、一方の経路に障害が発生した場合、高速に復旧することができる。
【先行技術文献】
【非特許文献】
【００２０】
【非特許文献１】G. Kramer, B. Mukherjee and G. Pesavento, EthernetPON(ePON): design and analysis of an optical accessnetwork, Phot. Net. Commun.,［online］,3, 2001,［平成２７年９月２５日検索］,インターネット  〈 URL : http://www.www.glenkramer.com/papers/epon_pnc.pdf〉
【非特許文献２】“IEEE Std.802.3ah-2004”，IEEE，2004年，64.3.2.2章Optional Shared LAN Emulation,［online］,2004,［平成２７年９月２５日検索］,インターネット  〈 URL : http://www.google.co.jp/url?〉
【非特許文献３】N. Nadarajah et al., “Novel Schemes for Local Area Network Emulation in Passive Optical Networks With RF Subcarrier Multiplexed Customer Traffic,”Journal of Lightwave Technology, ［online］,Oct. 2005、［平成２７年９月２５日検索］,インターネット  〈 URL : http://www.google.co.jp/url?sa=t&rct=j&q=&esrc=s&source=web&cd=1&cad〉
【非特許文献４】A. D. Hossain et al., “Ring-based local access PON architecture for supporting private networking capability,” OSA Journal of Optical Networking, vol. 5, no. 1, pp. 26-39, ［online］,Jan. 2006, ［平成２７年９月２５日検索］,インターネット  〈 URL : http://www.eng.uwo.ca/electrical/faculty/shami_a/publications.html〉
【発明の概要】
【発明が解決しようとする課題】
【００２１】
ところで、上述したシステム１０のＰＯＮにおいて柔軟な通信形態を提供するためには、異なるノード１２〜１４のＯＮＵ間通信が重要となる。しかし、ＰＯＮでは、基本的にはＯＬＴ２１−ＯＮＵ３２ａ〜３２ｎ間の通信のみをサポートしており、任意のノード１２〜１４のＯＮＵ間で直接通信を行うことは不可能である。
【００２２】
ＯＮＵ間通信を実現する手段として、非特許文献２には、あるノードのＯＮＵからのデータをＯＬＴで折り返し、別のノードのＯＮＵに伝送するＯＬＴ折返方式の検討が記載されている。これは、「Ｓｈａｒｅｄ  ＬＡＮ  Ｅｍｕｌａｔｉｏｎ」という呼称で、米国電気電子学会ＩＥＥＥのＥＰＯＮ（Ethernet Passive Optical Network）（Ethernet：登録商標）にオプショナルで定義されている。
【００２３】
ＯＬＴ折返方式を用いた場合に１＋１プロテクションを設定する際では、例えば図９（ａ）に示すように、ノード１２において伝送データをコピーし、これを、矢印Ｙ３で示す右回り、矢印Ｙ４で示すノード１３を通過する左回りに経路を伝送し、これらのデータを代表ノード１１のＯＬＴにて折返して別のノード１４へ伝送する。または、図９（ｂ）に示すように、ノード１２において伝送データをコピーし、これを、矢印Ｙ５，Ｙ６で示す右回りへ伝送し、矢印Ｙ５で示すデータは、代表ノード１１のＯＬＴにて右回りに折返して別のノード１５へ伝送する。一方、矢印Ｙ６で示すデータは、代表ノード１１のＯＬＴにて左回りに折返してノード１３を通過して左回りに別のノード１４へ伝送する。
【００２４】
しかし、図９（ａ）では、矢印Ｙ４で示すＯＬＴでの折返し後のデータが、矢印Ｙ３で示すＯＬＴでの折返し後のデータと同一経路を同方向に通ってノード１４へ伝送される。このため、その同一経路の光ファイバに障害６０が発生して伝送不能となった場合、コピーした両系のデータが伝送不能となるので、通常１＋１プロテクションで実現可能な他方の経路でデータ伝送を継続することができなくなる問題が生じる。すなわち、ＯＬＴでの折り返し後、共に同じ右回りの経路を通るため、ノード１１−ノード１４間の光ファイバ断で両系断となるので、プロテクションが不可となる。
【００２５】
また、図９（ｂ）では、矢印Ｙ５，Ｙ６で示すＯＬＴでの折返し前の両系のデータが、同一経路を同方向に通ってＯＬＴへ伝送される。このため、同一経路の光ファイバに障害６１が発生して伝送不能となった場合、ノード１２でコピーした両系のデータが伝送不能となる問題が生じる。すなわち、ＯＬＴでの折り返し前に同じ右回りの経路を通るため、ノード１１−ノード１２間の光ファイバ断で両系断となるので、プロテクションが不可となる。
【００２６】
この他、非特許文献３に記載のように、ＯＮＵ間通信を、ＯＬＴ折返し無しで実現する方式も提案されている。しかし、ＯＬＴの送受信機能が全てのＯＮＵに必要となったり、ＯＮＵのノード間にデータ反射を行わせるための特殊なデバイスが必要となったりするのでコスト高となる問題がある。
【００２７】
更に、ＯＬＴ折返し無しの構成として、非特許文献４に記載のように、リング上の各ノードのＯＮＵでデータをリレーして伝送する構成が提案されている。しかし、その構成では、ノード間の特殊なデバイスを最小限に抑制したとしても、ＯＮＵがデータを１ノードずつ電気的に受信して送信するので、ノードが数珠つなぎになり、伝送遅延が増加するという問題がある。
【００２８】
本発明は、このような事情に鑑みてなされたものであり、特別なデバイスの追加や伝送遅延を増加させることなく、１＋１プロテクション相当の高信頼なＯＮＵ間通信を行うことができる光伝送装置、光集線ネットワークシステム、運用制御方法およびプログラムを提供することを課題とする。
【課題を解決するための手段】
【００２９】
上記課題を解決するための手段として、請求項１に係る発明は、外部装置との間で送受信される信号を終端し、制御主体となる光回線終端装置としての第１ＯＬＴ（Optical Line Terminal）と、前記制御主体に対して客体となる光回線終端装置としての複数のＯＮＵ（Optical Network Unit）とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送されるネットワークに用いられる前記第１ＯＬＴを有する光伝送装置であって、一方の前記ＯＮＵから他方の前記ＯＮＵへデータ転送を折り返す当該ＯＮＵと同じ客体の光回線終端装置として同じノード内に備えられた中継用の第２ＯＬＴを介したＯＮＵ間の経路に、当該第２ＯＬＴで折り返されたデータを転送するパスを設定する制御を行うパス設定制御手段を備え、前記パス設定制御手段は、前記ＯＮＵ間で右回りまたは左回りのパスについて、一方を前記第１ＯＬＴの折り返しパスと設定し、他方を前記第２ＯＬＴと同じノード内に備えられたＯＮＵを通過するパスと設定することを特徴とする光伝送装置である。
【００３０】
請求項３に係る発明は、外部装置との間で送受信される信号を終端し、制御主体となる光回線終端装置としての第１ＯＬＴ（Optical Line Terminal）を有する第１光伝送装置と、前記制御主体に対して客体となる光回線終端装置としてのＯＮＵ（Optical Network Unit）を有する複数の第２光伝送装置とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送される光集線ネットワークシステムであって、複数の第２光伝送装置のうち、少なくとも一つは、一方の前記ＯＮＵから他方の前記ＯＮＵへデータ転送を折り返す中継用の第２ＯＬＴを備え、前記第１光伝送装置は、前記第２ＯＬＴを介した前記ＯＮＵ間の経路に、当該第２ＯＬＴで折り返されたデータを転送するパスを設定する制御を行うパス設定制御手段を備え、前記パス設定制御手段は、前記第２光伝送装置間で右回りまたは左回りのパスについて、一方を前記第１ＯＬＴの折り返しパスと設定し、他方を前記第２ＯＬＴを有する前記第２光伝送装置を通過するパスと設定することを特徴とする光集線ネットワークシステムである。
【００３１】
請求項７に係る発明は、外部装置との間で送受信される信号を終端し、制御主体となる光回線終端装置としての第１ＯＬＴ（Optical Line Terminal）を有する第１光伝送装置と、前記制御主体に対して客体となる光回線終端装置としてのＯＮＵ（Optical Network Unit）を有する複数の第２光伝送装置とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送される光集線ネットワークシステムの運用制御方法であって、複数の第２光伝送装置のうち、少なくとも一つは、一方の前記ＯＮＵから他方の前記ＯＮＵへデータ転送を折り返す中継用の第２ＯＬＴを備え、前記第１光伝送装置は、前記第２ＯＬＴを介した前記ＯＮＵ間の経路に、当該第２ＯＬＴで折り返されたデータを転送するパスを設定する制御を行うパス設定制御ステップを実行し、前記パス設定制御ステップにおいて、前記第２光伝送装置間で右回りまたは左回りのパスについて、一方を前記第１ＯＬＴの折り返しパスと設定し、他方を前記第２ＯＬＴを有する前記第２光伝送装置を通過するパスと設定することを特徴とする運用制御方法である。
【００３２】
請求項８に係る発明は、外部装置との間で送受信される信号を終端し、制御主体となる光回線終端装置としての第１ＯＬＴ（Optical Line Terminal）と、前記制御主体に対して客体となる光回線終端装置としての複数のＯＮＵ（Optical Network Unit）とが、少なくとも２本の光伝送路でリング状に接続され、当該２本の光伝送路を同一の２つのデータが互いに反対方向に経由する際に、一方の前記ＯＮＵから前記第１ＯＬＴで折り返して他方の前記ＯＮＵへ伝送されるネットワークに用いられる前記第１ＯＬＴを有する光伝送装置としてのコンピュータを、一方の前記ＯＮＵから他方の前記ＯＮＵへデータ転送を折り返す当該ＯＮＵと同じ客体の光回線終端装置として同じノード内に備えられた中継用の第２ＯＬＴを介したＯＮＵ間の経路に、当該第２ＯＬＴで折り返されたデータを転送するパスを設定する制御を行うとともに、前記ＯＮＵ間で右回りまたは左回りのパスについて、一方を前記第１ＯＬＴの折り返しパスと設定し、他方を前記第２ＯＬＴと同じノード内に備えられたＯＮＵを通過するパスと設定するパス設定制御手段、として機能させるためのプログラムである。
【００３３】
上記の請求項１，３，７，８の構成によれば、次のような作用効果を得ることができる。ＯＮＵとＯＬＴ間と、ＯＬＴとＯＮＵ間とは、各々が、リング状の２本の光伝送路で相反方向に伝送可能に接続されている。このため、第２ＯＬＴによる折り返しパスは、例えば送信ノードから第２ＯＬＴのＯＬＴ折り返しまでは上りとして送信され、当該第２ＯＬＴで折り返され下りとして受信ノードへ転送される。これにより、データ伝送の始点と終点のＯＬＴで折り返すＯＮＵ間において、一方の光伝送路に障害が発生しても、他方の光伝送路でデータを伝送することができる。したがって、特別なデバイスの追加やノード毎の電気処理に起因する遅延を増加させることなく、１＋１プロテクション相当の高信頼なＯＮＵ間通信を行うことができる。その結果、最小限の設備量増加で１＋１プロテクション相当の高信頼化が可能となり、いずれの区間がファイバ断となっても高速復旧が可能となる。
【００３４】
請求項２に係る発明は、前記パス設定制御手段は、前記ＯＮＵ間で前記２本の光伝送路を同一の２つのデータが互いに反対方向に経由する際に、一方の光伝送路を一方向に伝送するデータを、前記第２ＯＬＴで他方の光伝送路を他方向へ伝送するように折り返す第２ＯＬＴの折り返しパスを設定し、前記第１ＯＬＴの折り返しパスにおいて、送信側の前記ＯＮＵから前記第１ＯＬＴの折り返しまでは上りとして送信され、前記第１ＯＬＴで折り返されて下りとして受信側の前記ＯＮＵへ転送され、前記第２ＯＬＴの折り返しパスにおいて、送信側の前記ＯＮＵから前記第１ＯＬＴへ一方の光伝送路を上り方向に伝送するデータを、前記第２ＯＬＴで他方の光伝送路を下り方向へ伝送するように折り返して伝送するようにパスの設定を制御することを特徴とする請求項１に記載の光伝送装置である。
【００３５】
この構成によれば、データ伝送の始点と終点のＯＬＴで折り返すＯＮＵ間において、一方の光伝送路に障害が発生しても、他方の光伝送路でデータを伝送することができる。最小限の設備量増加で１＋１プロテクション相当の高信頼化が可能となり、いずれの区間がファイバ断となっても高速復旧が可能となる。
【００３６】
請求項４に係る発明は、前記第２ＯＬＴを有する第２光伝送装置内のＯＮＵは、他の前記ＯＮＵから前記第１ＯＬＴへの上り中継、および、前記ＯＮＵ間通信を中継する場合、前記上り中継は、前記ＯＮＵから転送し、前記ＯＮＵ間通信は、前記第２ＯＬＴがデータを一方の光伝送路の上り方向から、他方の光伝送路の下り方向へ折り返して転送することを特徴とする請求項３に記載の光集線ネットワークシステムである。
【００３７】
この構成によれば、上り中継、ＯＮＵ間通信とも全て第２ＯＬＴで終端させることができるので、上り波長数が少なく済むとともに、波長リソースを有効活用することができる。
【００３８】
請求項５に係る発明は、前記第２ＯＬＴを有する第２光伝送装置内のＯＮＵは、他の前記ＯＮＵから前記第１ＯＬＴへの上り中継、および、前記ＯＮＵ間通信を中継する場合、前記上り中継は、スルーして送信し、前記ＯＮＵ間通信は、前記第２ＯＬＴがデータを一方の光伝送路の上り方向から、他方の光伝送路の下り方向へ折り返して転送することを特徴とする請求項３に記載の光集線ネットワークシステムである。
【００３９】
この構成によれば、上り中継とＯＮＵ間通信を例えばＡＷＧで分離し、ＯＮＵ間通信だけＯＬＴで終端させることができるので、通常の上り通信において遅延の増加が生じない効果がある。
【００４０】
請求項６に係る発明は、前記第２ＯＬＴを有する第２光伝送装置内のＯＮＵは、他の前記ＯＮＵから前記第１ＯＬＴへの上り中継、および、前記ＯＮＵ間通信を中継する場合、前記上り中継およびＯＮＵ間通信をともに光分岐してスルーおよび分離を両方行い、前記上り中継は、スルーして送信した側を利用して伝送し、前記ＯＮＵ間通信は分離した側を利用し、前記第２ＯＬＴでデータを一方の光伝送路の上り方向から、他方の光伝送路の下り方向へ折り返して転送することを特徴とする請求項３に記載の光集線ネットワークシステムである。
【００４１】
この構成によれば、上り中継、ＯＮＵ間通信とも例えばカプラで分岐するので、上り波長数が少なく済むとともに、通常の上り通信において遅延の増加が生じない効果がある。
【発明の効果】
【００４２】
本発明によれば、特別なデバイスの追加や遅延を増加させることなく、１＋１プロテクション相当の高信頼なＯＮＵ間通信を行うことができる光伝送装置、光集線ネットワークシステムおよびプログラムを提供することができる。
【図面の簡単な説明】
【００４３】
【図１】本発明の第１の実施形態に係る光集線ネットワークシステムを示す構成図である。
【図２】第１の実施形態に係る光集線ネットワークシステムのＯＬＴ機能部が配備されるノードの詳細構成を示す図である。
【図３】第１の実施形態に係る光集線ネットワークシステムのノードの帯域割当管理を示すシーケンス図である。
【図４】本発明の第２の実施形態に係る光集線ネットワークシステムのＯＬＴ機能部が配備されるノードの詳細構成を示す図である。
【図５】第２の実施形態に係る光集線ネットワークシステムのノードの帯域割当管理を示すシーケンス図である。
【図６】本発明の第３の実施形態に係る光集線ネットワークシステムのＯＬＴ機能部が配備されるノードの詳細構成を示す図である。
【図７】第３の実施形態に係る光集線ネットワークシステムのノードの帯域割当管理を示すシーケンス図である。
【図８】従来の光集線ネットワークシステムの構成を示すブロック図である。
【図９】従来の光集線ネットワークシステムにおいて、（ａ）ＯＬＴでの折り返し後の光ファイバに障害が発生した様子を示し、（ｂ）ＯＬＴでの折り返し前の光ファイバに障害が発生した様子を示すブロック図である。
【発明を実施するための形態】
【００４４】
以下、図面を参照して本発明を実施するための形態（以下、「本実施形態」という）における光集線ネットワークシステム等について説明する。
（第１の実施形態）
図１は、本発明の第１の実施形態に係る光集線ネットワークシステムを示す構成図である。図８と同一構成部分には同一符号を付している。本実施形態は、ＰＯＮに代表される、光ＴＤＭ技術を用いた通信用のデバイスおよび装置を活用した光伝送装置、光集線ネットワークシステムに適用する例である。
図１に示すように、光集線ネットワークシステム１００は、代表ノードとしての光伝送装置１１０と、ノードとしての複数の光伝送装置１２０，１３０，１４０とが、物理的に独立した２本の信号伝送路としての第１光ファイバ１６および第２光ファイバ１７によってリング状に接続されている。そのリングトポロジのＰＯＮにおけるＯＬＴ２１−ＯＮＵ３２間が２本の経路として冗長化（耐障害化）されている。
【００４５】
この２本のリング状の光ファイバ１６，１７の伝送路によって、矢印で示す互いに異なる方向の右回り方向と左回り方向にデータを伝送でき、何れか一方の伝送路に障害が発生して伝送不能となった場合に、他方の伝送路で伝送が可能な１＋１プロテクションの構成である。各光ファイバ１６，１７に矢印で示す右回り方向及び左回り方向は、その逆方向であってもよい。ただし、各光ファイバ１６，１７は同一回り方向にデータ伝送を行うことも可能である。
ここで、光伝送路の数について本実施形態では、２本（１＋１や１：１）を例示するが、複数本であれば２本以上でもよい。
【００４６】
なお、各光伝送装置は、ＣＰＵ（Central Processing Unit）と、メモリと、ハードディスクなどの記憶手段（記憶部）と、ネットワークインタフェースとを有するコンピュータとして構成される。
このコンピュータは、ＣＰＵが、メモリ上に読み込んだプログラム（アプリケーションや、その略のアプリとも呼ばれる）を実行することにより、後記する各処理部により構成される制御部（制御手段）を動作させる。
【００４７】
以下、光集線ネットワークシステム１００の各構成要素について、光集線ネットワークシステム１０との違いに着目して説明する。なお、同じ符号が付いた構成要素は、光集線ネットワークシステム１００と光集線ネットワークシステム１０とで基本的には同じものである。
【００４８】
以下本明細書において、上りとは、ＯＮＵ３２から光ファイバ１６，１７に向けて送信するものをいい、下りとは、ＯＬＴ１１１から光ファイバ１６，１７に向けて送信するものをいう。
【００４９】
［代表ノード］
代表ノード１１０（第１光伝送装置）は、複数のＩＯ部２０ａ〜２０ｎと、ＯＬＴ１１１（第１ＯＬＴ）と、光多重分離部２３ａ，２３ｂと、を備えて構成される。ＯＬＴ１１１は、ＳＷ部２５と、ＯＳＵ２６ａ，２６ｂと、ＤＷＢＡ機能部１２７（パス設定制御手段）と、を備える。
【００５０】
複数のＩＯ部２０ａ〜２０ｎは、代表ノード１１０の外部の複数のホスト４１ａ〜４１ｎ（外部装置）と１対１で接続され、ホスト４１ａ〜４１ｎと信号送受信を行うＳＮＩ−ＬＴである。複数のＩＯ部２０ａ〜２０ｎは、ホスト４１ａ〜４１ｎから送信されて来たクライアント信号を終端してＳＷ部２５へ送信し、また、ＳＷ部２５からの信号をクライアント信号としてホスト４１ａ〜４１ｎへ送信する。
【００５１】
光多重分離部２３ａ，２３ｂは、第１および第２光ファイバ１６，１７（光伝送路）を介して伝送される光信号としてのデータに対して、多重化、分離、スルー（通過）の何れかの処理を行う。例えば、光多重分離部２３ａは、ＯＳＵ２６ａからのパケットデータを多重化して第１光ファイバ１６を介してノード１４０へ伝送し、ノード１２０からの光バーストデータを分離してＯＳＵ２６ａへ出力し、または、ノード１２０からの光バーストデータをスルーしてノード１４０へ伝送する処理を行う。
【００５２】
ＳＷ部２５は、通常の電気パケットスイッチであり、Ｌ２−ＳＷと同等なスイッチである。このＳＷ部２５は、事前に設定されたＭＡＣアドレスとポートとの対応テーブルに従い、ＭＡＣアドレスによる宛先のホスト（例えば４１ａ）へ、ＯＳＵ２６ａからのパケットデータをＳＷ部２５およびＩＯ部２０ａを介して転送する。
【００５３】
ＯＳＵ２６ａ，２６ｂは、ＰＤＳ方式の光回線終端装置である。このＯＳＵ２６ａ，２６ｂは、ノード１２０〜１４０のＯＮＵ３２ａ，３２ｂからの光バーストデータを受信してＳＷ部２５へ出力し、また、ＳＷ部２５からのパケットデータを受け取り、ＯＮＵ３２ａ〜３２ｎへ光データ送信する。この構成では、ＯＳＵ２６ａ，２６ｂとＯＮＵ３２ａ，３２ｂ間がＰＯＮ区間となっている。
【００５４】
ＤＷＢＡ機能部１２７は、動的波長帯域割当の機能を有する。動的波長帯域割当とは、ノード１２０〜１４０のＯＮＵ３２ａ，３２ｂに対して複数波長を総合した総帯域（特に上りの総帯域）を効率良く分配すべく、動的な波長切替も考慮しながらトラヒック量に応じて動的に帯域を割り当てることである。
【００５５】
ＤＷＢＡ機能部１２７は、ＰＯＮ内の波長やＴＤＭの割当状態を管理する。そして、ＤＷＢＡ機能部１２７は、以下に例示するように代表ノード１１０やノード１２０〜１４０の各制御処理を行う。
・ＤＢＡ（Dynamic Bandwidth Allocation）演算やＤＷＢＡ演算を行い、その演算結果をＯＳＵ２６、ＳＷ部２５に通知することで、ＰＯＮの帯域や波長リソースをＯＮＵに動的に割り当てる。
・ＩＯ部２０、３４に対して、受信波長切替用のアイドル信号の挿入を指示したり、送信対象のデータ信号のリオーダリング（送信順序の入れ替え）を指示したりする。
【００５６】
特に、ＤＷＢＡ機能部１２７は、ＯＳＵ１３２を介したＯＮＵ３２間の経路に、ＯＳＵ１３２で折り返されたデータを転送するパスを設定する制御を行う。ＤＷＢＡ機能部１２７は、ノード１２０〜１４０間で右回りまたは左回りのパスについて、一方をＯＳＵ２６折り返しパスと設定し、他方をＯＳＵ１３２を有するノード１３０を通過するパスと設定する。ＤＷＢＡ機能部１２７は、ＯＳＵ１３２が送受信に使用する波長を、所定にタイミングで切り替えるように制御する。さらに、ＤＷＢＡ機能部１２７は、送信側のノードでは、データをコピーして２本の光ファイバ１６，１７へ送信し、受信側のノードでは、２本の光ファイバ１６，１７からのデータを選択する制御を行う。
【００５７】
［ノード（光伝送装置）］
ノード１２０，１３０，１４０（第２光伝送装置）の少なくとも１つは、後記するＯＬＴ機能が配備されるノードである。ノード１２０，１３０，１４０が、ＯＬＴ機能部を備える場合、ノード１２０，１３０，１４０は何れも同構成である。ノード１３０を代表して示す。
ノード１３０は、複数の光多重分離部１３１ａ，１３１ｂと、複数のＯＳＵ１３２ａ，１３２ｂ（ＯＬＴ機能部）（第２ＯＬＴ）と、複数のＯＮＵ３２ａ，３２ｂと、ＭＵＸ／ＳＷ部３３と、複数のＩＯ部３４ａ〜３４ｎと、を備えて構成される。
以下の説明において、光多重分離部１３１ａ，１３１ｂを総称する場合は、光多重分離部１３１と呼び、ＯＳＵ１３２ａ，１３２ｂを総称する場合は、ＯＳＵ１３２と呼び、ＯＮＵ３２ａ，３２ｂを総称する場合は、ＯＮＵ３２と呼ぶ。
【００５８】
光多重分離部１３１ａ，１３１ｂは、上記代表ノード１１０の光多重分離部２３ａ，２３ｂと同様に多重化、分離、スルーの何れかの処理を行う。例えば、光多重分離部１３１ａは、ＯＮＵ３２ａからのパケットデータを多重化して第１光ファイバ１６を介してノード１２０へ伝送し、ノード１４０からの光バーストデータを分離してＯＮＵ３２ａへ出力し、または、ノード１４０からの光バーストデータをスルーしてノード１２０へ伝送する処理を行う。
【００５９】
ＯＳＵ１３２ａ，１３２ｂは、一方のＯＮＵ３２から他方のＯＮＵ３２へデータ転送を折り返す中継用のＯＬＴ機能部（第２ＯＬＴ）である。ＯＳＵ１３２ａ，１３２ｂは、第１ＯＬＴと同様のデータ転送（折り返し）機能を配備し、冗長用のパスを設定する。
【００６０】
ＯＮＵ３２ａ，３２ｂは、ＰＯＮに係るデータの送受信を行う。ＯＮＵ３２ａは、左回り用のデータ転送機能部、ＯＮＵ３２ｂは、右回り用のデータ転送機能部である。なお、ノード１３０は、ＯＮＵ３２ａは、左回り用のＯＮＵ３２ａと右回り用のＯＮＵ３２ｂのうち、いずれか一方のみを備える態様でもよい。ＯＮＵ３２ａ，３２ｂは、代表ノード１１０のＯＳＵ２６ａ，２６ｂからの光データを受信してＭＵＸ／ＳＷ部３３へ出力し、また、ＳＷ部３３からのパケットデータを受信して、ＯＳＵ２６ａ，２６ｂへ光バースト送信する。
【００６１】
ＩＯ部３４ａ〜３４ｎは、ＵＮＩ−ＬＴ（User-Network Interface - Line Terminal）であり、代表ノード１１０でないノード１３０に接続されるホスト４３ａ〜４３ｎとＭＵＸ／ＳＷ部３３との間の信号送受信を行う。
ＩＯ部３４ａ〜３４ｎは、ホスト４３ａ〜４３ｎからのクライアント信号の終端を行い、ＭＵＸ／ＳＷ部３３へ送る。ＭＵＸ／ＳＷ部３３からの信号をクライアント信号としてホスト４３ａ〜４３ｎへ送る。他のノード１２０，１４０においても、同様に図示せぬＩＯ部にホスト４２ａ〜４２ｎ，４４ａ〜４４ｎ（図示は１つのみ）が１対１で接続されている。
【００６２】
図２は、ＯＳＵ１３２（ＯＬＴ機能部）が配備されるノードの詳細構成を示す図である。ここでは、ノード１３０は、ＯＳＵ１３２を備えるノードである。ノード１２０，１３０，１４０が、ＯＳＵ１３２を備える場合、ノード１２０，１３０，１４０は何れも同構成である。
図２に示すように、ノード１３０は、光多重分離部１３１と、ＯＳＵ１３２と、ＯＮＵ３２と、ＭＵＸ／ＳＷ部３３と、ＵＮＩ−ＬＴ部３５と、を備えて構成される。
光多重分離部１３１は、ＢＰＦ５１ａ，５１ｂと、カプラ１５２と、を備える。
ＯＳＵ１３２は、送受信器であるＴＲＸ部１５３と、データ転送処理用のプロトコル処理部（ＯＳＩ（Open Systems Interconnection）第１層を処理する「Ｌ１」と第２層を処理する「Ｌ２」とを有するＬ１／Ｌ２部１５４と、を備える。
ＯＮＵ３２は、送受信器であるＴＲＸ部５３と、データ転送処理用のプロトコル処理部第１層を処理する「Ｌ１」と第２層を処理する「Ｌ２」とを有するＬ１／Ｌ２部５４と、を備える。
【００６３】
ＯＮＵ３２は、代表ノード１１０のＯＳＵ２６と同様に、データ転送処理用のプロトコル処理部（Ｌ１／Ｌ２）を有する。また、ＯＮＵ３２は、通常の送受信機（ＴＲＸ）の機能に加え、送受信する光信号の波長を運用中に動的に変えることができる（すなわち波長のTunable性を持つ）。
なお、ＩＴＵ（International Telecommunication Union）によって標準化されているアクセス系の標準規格ＮＧ−ＰＯＮ２（Next-Generation Passive Optical Network 2）では、ＯＮＵ３２側のトランシーバ（TRX）に波長可変性を持たせることが示唆されている。
【００６４】
以下、上述のように構成された光集線ネットワークシステム１００の運用制御方法について説明する。
［全体動作］
図１に示すように、光集線ネットワークシステム１００は、代表ノード１１０ではないノード１３０に、ＯＳＵ１３２ａ，１３２ｂ（ＯＬＴ機能部）を配備している。例えばノード１２０を送信ノード、ノード１４０を受信ノードとし、ノード１２０に接続されたホスト４３ａ〜４２ｎから送信されるクライアント信号をノード１４０に接続されたホスト４４ａ〜４４ｎへ伝送する。
【００６５】
上述したように、上りとは、ＯＮＵで送信するものをいい、下りとは、ＯＬＴ１１１で送信するものをいう。本実施形態では、代表ノード１１０のＯＬＴ１１１で送信するものは対象とせず、ＯＮＵが送信したものを他のＯＮＵに届けるものを対象とする。このため、代表ノード１１０のＯＬＴ１１１が送信した下りはそのままスルーさせ、また、上りを一旦、ＯＳＵ１３２ａ，１３２ｂで終端し、宛先に届けるために違う波長で下り側の送信を行うようにする。すなわち、通信は、代表ノード１１０のＯＬＴ１１１が各ノード１２０〜１４０宛に送信する通常の下りと、各ノード１２０〜１４０のＯＮＵ３２が代表ノード宛に送信する通常の上りと、各ノード１２０〜１４０のＯＮＵ３２もしくは第２ＯＬＴが他の各ノードのＯＮＵもしくは第２ＯＬＴ宛てに送信する中継通信（第１ＯＬＴもしくは第２ＯＬＴで折り返される）がある。
【００６６】
ＯＳＵが送信する信号は連続信号のため、通常の下り信号用と中継通信信号用は別波長とする必要がある。それぞれ下り波長λＤ１，λＤ２とする。
ＯＳＵ２６ａ，２６ｂ（第１ＯＬＴ）は、下り波長λＤ１でデータを送信する。ＯＳＵ１３２ａ，１３２ｂ（第２ＯＬＴ）に到着した中継通信データは、ＯＳＵ１３２ａ，１３２ｂで一旦終端されて、ＯＳＵ１３２ａ，１３２ｂから送信するときには、下り波長λＤ２を使って送信する。
【００６７】
ここで、ＤＷＢＡ機能部１２７は、ＯＳＵ１３２を介したＯＮＵ３２間の経路に、ＯＳＵ１３２で折り返されたデータを転送するパスを設定する制御を行う。ＤＷＢＡ機能部１２７は、ノード１２０〜１４０間で右回りまたは左回りのパスについて、一方をＯＳＵ２６折り返しパスと設定し、他方をＯＳＵ１３２を有するノード１２０〜１４０を通過するパスと設定する。ＤＷＢＡ機能部１２７の指示によって、制御信号をデータ信号に多重して、光ファイバ１６，１７で、すべてのノードに届ける。それによって、ＤＷＢＡ機能部１２７は、データを出すタイミングと波長を指示する。代表ノード１１０が、各ノード１２０，１３０，１４０を統括する集中制御を行って各ノード１２０，１３０，１４０がそれに従う。なお、ＰＯＮの仕組みでは、このような集中制御は行われている。この制御はどのようなものでもよい。例えば、制御用に別の信号線を設けてもよい。
【００６８】
送受信ノード１２０，１４０間で右回り／左回りのパスについて、一方をＯＬＴ折り返しパス（矢印Ｙ１で示す右回りの現用パス）と設定し、他方はＯＳＵ１３２ａ，１３２ｂが配備されたノード１３０を通過するパス（矢印Ｙ２で示す左回りの冗長用パス）と設定する。
送信側のノード１２０のＵＮＩ−ＬＴでデータをコピーし、それぞれの経路へ送信する。
ノード１３０は、ＯＳＵ１３２ａ，１３２ｂを配備しており、送受信ノード１２０，１４０間の通信を中継する。ＯＳＵ１３２ａ，１３２ｂにおける折り返しパスは、送信ノード１２０からノード１３０のＯＬＴ折り返しまでは上りとして送信され、ノード１３０のＯＬＴで折り返され下りとして受信側のノード１４０へ転送される。
受信側のノード１４０のＯＮＵでは、２経路からのデータを選択する。
【００６９】
［ＯＬＴ機能部が配備されるノードの動作］
図２に示すように、ＢＰＦ５１ａ，５１ｂで下りをスルーさせ、上り信号は中継通信信号を含めて全てＯＳＵ１３２ａ，１３２ｂで終端させる。他ノードが送信した代表ノード宛の上り信号に対しては、ノード１３０のＯＮＵ３２ａ，３２ｂから転送し、ＯＮＵ間の中継通信はＯＳＵ１３２ａ，１３２ｂで上りから下りに折り返して転送する。すなわち、
・通常の上り：ＯＳＵ１３２のＴＲＸ部１５３（ＯＬＴ−Ｒｘ）で受信し、ＭＵＸ／ＳＷ部３３で折り返し、ＯＮＵ３２のＴＲＸ部５３から送信する。
・ＯＮＵ間：折り返した後、ＯＳＵ１３２のＴＲＸ部１５３（ＯＬＴ−Ｔｘ）から送信する。
【００７０】
［ＯＬＴ機能部が配備されるノードの詳細動作］
次に、ＯＬＴ機能部が配備されるノード１３０の詳細動作について説明する。
光集線ネットワークシステム１００は、上り波長λＵ（最低１波）、下り波長λＤ１，λＤ２（最低２波）を使用する。λＤ１は、通常の下り信号用、λＤ２は中継信号用である。本明細書では、ＯＮＵ間通信用に中継する信号を中継信号と表記している。ここで、下りは連続信号のため、通常の下り信号用と中継信号用は別波長とする必要がある。このため、下り波長ではλＤ１，λＤ２（最低２波）を使用する。なお、ＯＬＴ機能部が配備されるノード数だけ、中継信号用の波長を増やす必要がある。例えば、ＯＬＴ機能部が配備されるノード数が１０の場合、中継信号用の波長も１０となる。ただし、代表ノードでないノードの全てにＯＬＴ機能部を配備する必要はない。
【００７１】
データの流れは、下記の通りである。
<自ノードからの上り送信>
図２に示すように、ＵＮＩ−ＬＴ部３５からのデータは、ＭＵＸ／ＳＷ部３３からＯＮＵ３２のＬ１／Ｌ２部５４、さらにＴＲＸ部５３を通って、波長λＵで隣のノード（ここではノード１４０）へ伝送される。
【００７２】
<他ノードの上り信号の転送>
ingress側のＢＰＦ５１ａで上りと下り波長帯を分離し、上り波長のλＵの信号が一旦、ＯＳＵ１３２ａ（ＯＬＴ機能部）のＴＲＸ部１５３、さらにＬ１／Ｌ２部１５４で終端され、ＭＵＸ／ＳＷ部３３でＯＮＵ３２へ折り返される。そして、ＯＮＵ３２のＬ１／Ｌ２部５４およびＴＲＸ部５３を通って波長λＵで隣のノード（ここではノード１４０）へ伝送される。
【００７３】
<代表ノードのＯＬＴが送信した自ノード宛下り信号>
ＢＰＦ５１ａで上りと下り波長帯を分離し、通常の下り信号用のλＤ１の信号がカプラで光分岐され、ＯＮＵ３２のＴＲＸ部５３、さらにＬ１／Ｌ２部１５４で終端する。Ｌ１／Ｌ２部５４は、自ノード宛信号であることを識別し、ＭＵＸ／ＳＷ部３３からＵＮＩ−ＬＴ部３５で受信する。
【００７４】
<他ノード宛の下り信号>
ＢＰＦ５１ａで上りと下り波長帯を分離し、通常の下り信号用のλＤ１の信号がカプラ１５２を通過し、egress側のＢＰＦ５１ｂで上り波長と多重され、隣のノード（ここではノード１４０）へ伝送する。なお、egress側のＢＰＦ５１ｂは、カプラによる光ＭＵＸ機能でもよい。
【００７５】
<ＯＮＵ間通信（他ノード〜他ノード）>
ＢＰＦ５１ａで上りと下り波長帯を分離し、λＵの信号が一旦、ＯＳＵ１３２ａのＴＲＸ部１５３、さらにＬ１／Ｌ２部１５４で終端され、Ｌ１／Ｌ２部１５４内部もしくはＭＵＸ／ＳＷ部３３で再度、ＯＳＵ１３２ａへ折り返される。そして、ＯＳＵ１３２ａのＬ１／Ｌ２部１５４、さらにＴＲＸ部１５３を通って中継信号用のλＤ２の信号として送信され、カプラ１５２（またはＡＷＧ）、egress側のＢＰＦ５１ｂを通過して隣のノード（ここではノード１４０）へ伝送する。
【００７６】
<ＯＮＵ間通信（自ノードが送信）>
ＵＮＩ−ＬＴ部３５からのデータがＭＵＸ／ＳＷ部３３、ＯＳＵ１３２ａのＬ１／Ｌ２部１５４、さらにＴＲＸ部１５３を通って波長λＤ２で送信され、カプラ１５２、egress側のＢＰＦ５１ｂを通過して隣のノード（ここではノード１４０）へ伝送する。
【００７７】
<ＯＮＵ間通信（自ノードが受信）>
ingress側のＢＰＦ５１ａで上りと下り波長帯を分離し、λＵの信号をＯＳＵ１３２ａのＴＲＸ部１５３、さらにＬ１／Ｌ２部１５４で終端し、電気的に自ノード宛信号を識別してＭＵＸ／ＳＷ部３３からＵＮＩ−ＬＴ部３５で受信する。
【００７８】
［帯域割当管理シーケンス］
図３は、光集線ネットワークシステム１００のノードの帯域割当管理を示す図である。図３の帯域割当管理は、上り波長帯と、下り波長帯とに分けられ、図の横方向がデータの通信方向を、縦方向が時間をそれぞれ示している。また、図３のブロック内の数値「１」「２」「３」「４」は、４ノードリング構成（図１参照）の各ノード、すなわちノード１１０（ノード<１>）、ノード１２０（ノード<２>）、ノード１３０（ノード<３>）、ノード１４０（ノード<４>）にそれぞれ対応する。ノード１１０（ノード<１>）は、通常のＯＬＴを有する代表ノード、ノード１３０（ノード<３>）はＯＳＵ１３２ａ，１３２ｂ（ＯＬＴ機能部）が配備されるノードである。また、図２および図３のブロック内網掛け部分は、ＯＬＴ機能部の対応動作であることを示している。
【００７９】
<上り波長帯>
上り波長帯では、通常の上り信号と、中継信号と、をＴＤＭＡにより多重して伝送する。
図１および図３に示すように、ノード１２０（ノード<２>）で送信したデータを代表ノード１１０（ノード<１>）に届ける場合、ノード１２０（ノード<２>）からノード１３０（ノード<３>）→ノード１４０（ノード<４>）→代表ノード１１０（ノード<１>）のデータ通信方向である。
【００８０】
この例では、上りがノード１３０（ノード<３>）で終端されるので、ノード１２０（ノード<２>）で送信したデータを代表ノード１１０（ノード<１>）に届ける場合、上り波長帯において通常の上り信号（λＵの信号）で、ノード１２０（ノード<２>）から代表ノード１１０（ノード<１>）にデータを送る（「２→１」（図３のＳ１０１参照））。通常の上り信号（λＵの信号）は、ノード１３０（ノード<３>）のＯＳＵ１３２ａ，１３２ｂで信号を受信（Drop）しＭＵＸ／ＳＷ部３３で折り返して、ノード１３０（ノード<３>）からノード１４０（ノード<４>）→代表ノード１１０（ノード＜１＞）と伝送される（「２→１」（図３のＳ１０３参照））。
【００８１】
そのときに、ノード１３０（ノード<３>）内部では電気的な終端および折返処理を行うため、内部的な遅延が生じる（図３のＳ１０２参照）。上記Ｓ１０１〜Ｓ１０３が新規な処理である。
【００８２】
続いて、図３のＳ１０４「３→１」は、ノード１３０（ノード<３>）から代表ノード１１０（ノード<１>）宛のデータ伝送を表しており、ノード１３０のＯＮＵから代表ノード１１０のＯＳＵまで通常の上り信号（λＵの信号）を用いて、例えば図３の送信タイミングを用いて伝送される。同様に図３のＳ１０５「４→１」は、ノード１４０（ノード<４>）から代表ノード１１０（ノード<１>）宛のデータ伝送を表しており、ノード１４０のＯＮＵから代表ノード１１０のＯＳＵまで通常の上り信号（λＵの信号）を用いて、例えば図３の送信タイミングを用いて伝送される。
【００８３】
一方、ノード１２０（ノード<２>）は、上り波長帯において通常の上り信号（λＵの信号）で、ノード１２０（ノード<２>）からノード１３０（ノード<３>）にデータを送る（「２→３」（図３のＳ１０６参照））処理は、図３のＳ１０１に示されたノード１２０（ノード<２>）の「２→１」に関するデータ送信等とタイミングが重複しないようにする必要がある。図３では「２→１」の送信タイミング後に「２→３」の送信タイミングを割り当てた例を示した。そして、ノード１３０（ノード<３>）は、ノード１２０（ノード<２>）で送信したデータをノード１４０（ノード<４>）に伝送するために（「２→４」（図３のＳ１０７参照））、ＯＳＵ１３２ａ，１３２ｂで受信して終端し、中継の下り信号（λＤ２の信号）を用いて、ノード１４０（ノード<４>）にデータを送る（「２→４」（図３のＳ１０７参照））。上記「２→３」（図３のＳ１０６参照）および「２→４」（図３のＳ１０７参照）がＯＳＵ１３２ａ，１３２ｂによる折返し通信およびＯＮＵ間通信に対応する新規な処理である。中継の下り信号（λＤ２の信号）用いたデータ通信については、後記する。
【００８４】
<下り波長帯>
下り波長帯では、通常の下り信号のＴＤＭ伝送（ＯＮＵ３２における受信波長切替制御あり）と、中継信号のＴＤＭ伝送（ＯＮＵ３２における受信波長切替制御あり）と、を用いる。
図３に示す例では、代表ノード１１０（ノード<１>）は、下り波長帯において、通常の下り信号用のλＤ１の信号を用いて、代表ノード１１０（ノード<１>）からノード１２０（ノード<２>）にデータを送る（「１→２」（図３のＳ１０９参照））。次いで、代表ノード１１０（ノード<１>）からノード１３０（ノード<３>）にデータを送り（「１→３」（図３のＳ１１０参照））、ノード１４０（ノード<４>）にデータを送る（「１→４」（図３のＳ１１１参照））。なお、上記Ｓ１０９〜Ｓ１１１は、通常の下り信号（λＤ１の信号）を用いたデータ転送機能である。また、上記「１→２」（図３のＳ１０９参照）および「１→３」（図３のＳ１０９参照）のデータ伝送後の部分（図３のハッチング参照）は、光カプラによるパッシブな分岐を用いた際に他のノードが使用できない部分である。
ノード１４０（ノード<４>）は、上記「１→４」（図３のＳ１１１参照）のデータ送信後で、後記する中継の下り信号（λＤ２の信号）を用いた中継後に、中継の下り信号の波長λＤ２を、通常の下り信号の波長λＤ１に、受信λ切替を行う（図３のＳ１１２参照）。
【００８５】
図３の上り波長帯において、通常の上り信号の波長λＵのデータがＯＳＵ１３２ａ，１３２ｂに到着すると（図３のＳ１０８参照）、ＯＳＵ１３２ａ，１３２ｂは、データの折返しを行う（図３のＳ１１３参照）。
【００８６】
ここで、ノード１４０（ノード<４>）は、通常のデータ転送には、通常の下り信号（λＤ１の信号）を用いた通常のデータ転送を行っている。このため、ノード１４０（ノード<４>）は、上記中継信号を受信する際に、通常の下り信号の波長λＤ１を中継の下り信号の波長λＤ２に、受信λ切替を切り替える（図３のＳ１１４参照）。
ノード１３０（ノード<３>）は、下り波長帯において、中継の下り信号（λＤ２の信号）を用いて、折り返したデータをノード１４０（ノード<４>）に送る（「２→４」（図３のＳ１１５参照））。そして、ノード１３０（ノード<３>）は、下り波長帯において、中継の下り信号（λＤ２の信号）を用いて、ノード１３０（ノード<３>）からノード１４０（ノード<４>）にデータを送る（「３→４」（図３のＳ１１６参照））。
【００８７】
ここで、ノード１２０（ノード<２>）が送信する上り信号／中継信号は、ノード１３０（ノード<３>）で終端されるため、ノード１３０（ノード<３>），ノード１４０（ノード<４>）からの上り信号と同一ＴＳ（送信タイミング）を共有できる。
また、ノード１４０（ノード<４>）は、通常の下り信号／中継信号の両方を受信するために受信波長切替（チューナブルフィルタが透過する波長の設定変更）が必要となる。このため、波長切替オペレーション中ならびに中継信号の受信中は、通常の下り信号を受信することはできない。
【００８８】
以上説明したように、第１の実施形態に係る光集線ネットワークシステム１００は、複数のノード１２０〜１４０のうち、少なくとも一つは、一方のＯＮＵ３２から他方のＯＮＵ３２へデータ転送を折り返す中継用のＯＳＵ１３２を備える。また、代表ノード１１０のＯＬＴ１１１は、ＯＳＵ１３２を介したＯＮＵ３２間の経路に、ＯＳＵ１３２で折り返されたデータを転送するパスを設定する制御を行うＤＷＢＡ機能部１２７を備える。ＤＷＢＡ機能部１２７は、ノード１２０〜１４０間で右回りまたは左回りのパスについて、一方をＯＳＵ２６折り返しパスと設定し、他方をＯＳＵ１３２を有するノード１２０〜１４０における折り返しパスと設定する。そして、送信側のノードでデータをコピーし２経路へ送信し、受信側ノードでは２経路からのデータを選択する。
【００８９】
このため、ＯＳＵ１３２による折り返しパスは、送信ノードからＯＳＵ１３２までは上りとして送信され、当該ＯＳＵで折り返され下りとして受信ノードへ転送される。これにより、データ伝送の始点と終点のＯＮＵ間において、一方の光伝送路に障害が発生しても、他方の光伝送路でデータを伝送することができる。したがって、特別なデバイスの追加や伝送遅延を増加させることなく、１＋１プロテクション相当の高信頼なＯＮＵ間通信を行うことができる。その結果、最小限の設備量増加で１＋１プロテクション相当の高信頼化が可能となり、いずれの区間がファイバ断となっても高速復旧が可能となる。
【００９０】
本実施形態では、ＯＳＵ１３２を有するノード１３０は、他のノード１２０，１４０のＯＮＵ３２から代表ノード１１０のＯＬＴ１１１への上り中継、および、ＯＮＵ３２間通信を中継する場合、上り中継は、自己のＯＮＵ３２から転送し、ＯＮＵ３２間通信は、ＯＳＵ１３２が上りから下りに折り返して転送する。すなわち、ＯＮＵ間通信において、通常の上り信号（λＵの信号）を、ＯＳＵ１３２で受信して終端し、通常の上り信号（λＵの信号）を中継の下り信号（λＤ２の信号）に切り替えてデータ転送するので、後記する第２の実施形態と比較して上り波長数が少なく済む利点がある。また、後記する第３の実施形態と比較して波長リソースを有効活用することができる。ただし、本実施形態では上り中継、ＯＮＵ間通信共に、全てＯＳＵ１３２で終端させるので、上りの終端に起因する遅延が増加する可能性がある。
【００９１】
また、本実施形態のコンピュータを実行するプログラムについて説明する。コンピュータは、外部装置（ホスト）との間で送受信される信号を終端し、制御主体となる光回線終端装置としてのＯＬＴ１１１を有する代表ノード１１０と、制御主体に対して客体となる光回線終端装置としてのＯＮＵ３２を有する複数のノード１２０〜１４０とが、少なくとも２本の光ファイバ１６，１７でリング状に接続され、２本の光ファイバ１６，１７を同一の２つのデータが互いに反対方向に経由する際に、一方のＯＮＵ３２からＯＬＴ１１１で折り返して他方のＯＮＵ３２へ伝送されるネットワークに、第１またはノード１２０〜１４０として用いられる光伝送装置であるとする。
【００９２】
このプログラムは、上記コンピュータを、複数のノード１２０〜１４０のうち、少なくとも一つが、一方のＯＮＵ３２から他方のＯＮＵ３２へデータ転送を折り返す中継用のＯＳＵ１３２、ＯＳＵ１３２を介したＯＮＵ３２間の経路に、ＯＳＵ１３２で折り返されたデータを転送するパスを設定する制御を行うとともに、ノード１２０〜１４０間で右回りまたは左回りのパスについて、一方をＯＳＵ２６折り返しパスと設定し、他方をＯＳＵ１３２を有するノード１２０〜１４０における折り返しパスと設定するパス設定制御手段として機能させる。
【００９３】
このプログラムによれば、ＯＳＵ１３２による折り返しパスは、送信ノードからＯＳＵ１３２のＯＬＴ折り返しまでは上りとして送信され、当該ＯＬＴで折り返され下りとして受信ノードへ転送される。これにより、最小限の設備量増加で１＋１プロテクション相当の高信頼化が可能となり、いずれの区間がファイバ断となっても高速復旧が可能となる。
【００９４】
（第２の実施形態）
第１の実施形態では、ＯＳＵ間通信において、通常の上り信号（λＵの信号）を、ＯＳＵ１３２で受信して終端し、通常の上り信号（λＵの信号）を中継の下り信号（λＤ２の信号）に切り替えてデータを転送している。
第２の実施形態は、ＯＳＵ間通信において、さらに上りに関しても通常の上り信号と中継の上り信号に分ける例である。
【００９５】
図４は、本発明の第２の実施形態に係る光集線ネットワークシステム２００のＯＳＵ１３２（ＯＬＴ機能部）が配備されるノード１３０の詳細構成を示す図である。図２と同一構成部分には同一符号を付している。
光集線ネットワークシステム２００は、図１の光集線ネットワークシステム１００と同様に、代表ノード１１０と、代表ノード１１０ではないノード１２０，１３０，１４０とが、物理的に独立した２本の信号伝送路としての第１光ファイバ１６および第２光ファイバ１７によってリング状に接続されている。
【００９６】
図４に示すように、光集線ネットワークシステム２００の代表ノード１１０ではないノード１３０は、ＯＳＵ１３２（ＯＬＴ機能部）が配備される。
ノード１３０は、光多重分離部２３１と、ＯＳＵ１３２と、ＯＮＵ３２と、ＭＵＸ／ＳＷ部３３と、ＵＮＩ−ＬＴ部３５と、を備えて構成される。
光多重分離部２３１は、ＢＰＦ５１ａ，５１ｂと、ＡＷＧ（Arrayed Waveguide Grating）２５１と、カプラ２５２，２５３と、を備える。
【００９７】
ＡＷＧ２５１は、受信したデータを分波し、いずれかの系統（例えばＯＳＵ１３２）へと転送する信号分岐器である。なお、ＯＮＵ３２は、受信波長（Tunable Filter）の設定を変えることで、データを受信する波長を運用中に動的に変更できる。
【００９８】
以下、上述のように構成された光集線ネットワークシステム２００の運用制御方法について説明する。
光集線ネットワークシステム２００の全体動作は、図１の光集線ネットワークシステム１００と同様である。すなわち、代表ノード１１０ではないノード１３０に、ＯＳＵ１３２を配備する。送受信ノード１２０，１４０間で右回り／左回りのパスについて、一方をＯＬＴ折り返しパス（矢印Ｙ１で示す右回りの現用パス）と設定し、他方はデータ転送機能が配備されたノード１３０を通過するパス（矢印Ｙ２で示す左回りの冗長用パス）と設定する。
送信側のノードでデータをコピーし、それぞれの経路へ送信する。
ＯＳＵ１３２における折り返しパスは、送信ノード１２０からノード１３０の折り返しまでは上りとして送信され、ノード１３０で折り返され下りとして受信側のノード１４０へ転送される。
受信側のノード１４０のＯＮＵでは、２経路からのデータを選択する。
【００９９】
［ＯＬＴ機能部が配備されるノードの動作］
図４に示すように、ノード１３０は、ＢＰＦ５１ａの後段にＡＷＧ２５１を配備し、上り中継とＯＮＵ間通信をＡＷＧ２５１で分離し、ＯＮＵ間通信だけＯＳＵ１３２で終端させる。換言すれば、上り中継はλＵ１を用いてスルーして送信し、ＯＮＵ間通信はλＵ２を用いてＯＳＵ１３２で上りから下りに折り返して転送する。すなわち、
・通常の上り：λＵ１を用いて、スルーする。
・ＯＮＵ間：λＵ２を用いてＯＳＵ１３２のＴＲＸ部１５３（ＯＬＴ−Ｒｘ）で受信し、折返後、ＯＳＵ１３２のＴＲＸ部１５３（ＯＬＴ−Ｔｘ）から送信する。
【０１００】
［ＯＬＴ機能部が配備されるノードの詳細動作］
次に、ＯＬＴ機能部が配備されるノード１３０の詳細動作について説明する。
光集線ネットワークシステム２００は、上り波長がλＵ１，λＵ２（最低２波）、下り波長がλＤ１，λＤ２（最低２波）を使用する。
λＵ１は、通常の上り信号用、λＵ２は、中継信号用である。また、λＤ１は、通常の下り信号用、λＤ２は、中継信号用である。
ここで、下りは連続信号のため、通常の下り信号用と中継信号用は別波長とする必要がある。このため、下り波長ではλＤ１，λＤ２（最低２波）を使用する。なお、ＯＬＴ機能部が配備されるノード数だけ、中継信号用の波長を増やす必要がある。ただし、代表ノードでないノードの全てにＯＬＴ機能部を配備する必要はない。
【０１０１】
データの流れは、下記の通りである。
<自ノードからの上り送信>
図４に示すように、ＵＮＩ−ＬＴ部３５からのデータは、ＭＵＸ／ＳＷ部３３からＯＮＵ３２のＬ１／Ｌ２部５４、さらにＴＲＸ部５３を通って、波長λＵ（λＵ１，λＵ２をまとめて表記）で隣のノード（ここではノード１４０）へ伝送される。
【０１０２】
<他ノードの上り信号の転送>
ingress側のＢＰＦ５１ａで上りと下り波長帯を分離し、ＡＷＧ２５１で上り信号を分波する。上り波長のλＵ１の信号がＯＮＵ３２側のカプラ２５３を通過して他信号と多重され隣のノード（ここではノード１４０）へ伝送される。
【０１０３】
<代表ノードのＯＬＴが送信した自ノード宛下り信号>
ＢＰＦ５１ａで上りと下り波長帯を分離し、通常の下り信号用のλＤ１の信号がカプラ２５２で光分岐され、ＯＮＵ３２のＴＲＸ部５３、さらにＬ１／Ｌ２部１５４で終端する。Ｌ１／Ｌ２部５４は、自ノード宛信号であることを識別し、ＭＵＸ／ＳＷ部３３からＵＮＩ−ＬＴ部３５で受信する。
【０１０４】
<他ノード宛の下り信号>
ＢＰＦ５１ａで上りと下り波長帯を分離し、通常の下り信号用のλＤ１の信号がカプラ２５２で光多重分岐され、ＯＮＵ３２のＴＲＸ部５３、そしてＬ１／Ｌ２部５４で終端する。自ノード宛信号であることをＬ１／Ｌ２部５４で識別し、ＭＵＸ／ＳＷ部３３を経由しＵＮＩ−ＬＴ部３５で受信する。
【０１０５】
<ＯＮＵ間通信（他ノード〜他ノード）>
ＢＰＦ５１ａで上りと下り波長帯を分離し、ＡＷＧ２５１で上り信号を分波する。そして、λＵ２の信号が一旦、ＯＳＵ１３２のＴＲＸ部１５３、さらにＬ１／Ｌ２部１５４で終端され、Ｌ１／Ｌ２部１５４内部もしくはＭＵＸ／ＳＷ部３３で再度、ＯＳＵ１３２へ折り返される。そして、ＯＳＵ１３２のＬ１／Ｌ２部１５４、さらにＴＲＸ部１５３を通って中継信号用のλＤ２の信号として送信され、カプラ２５２（またはＡＷＧ）、egress側のＢＰＦ５１ｂを通過して隣のノード（ここではノード１４０）へ伝送する。
【０１０６】
<ＯＮＵ間通信（自ノードが送信）>
ＵＮＩ−ＬＴ部３５からのデータがＭＵＸ／ＳＷ部３３、ＯＳＵ１３２のＬ１／Ｌ２部１５４、さらにＴＲＸ部１５３を通って波長λＤ２で送信され、カプラ２５２、egress側のＢＰＦ５１ｂを通過して隣のノード（ここではノード１４０）へ伝送する。
【０１０７】
<ＯＮＵ間通信（自ノードが受信）>
ingress側のＢＰＦ５１ａで上りと下り波長帯を分離し、ＡＷＧ２５１で上り信号を分波する。そして、λＵ２の信号をＯＳＵ１３２のＴＲＸ部１５３、さらにＬ１／Ｌ２部１５４で終端し、電気的に自ノード宛信号を識別してＭＵＸ／ＳＷ部３３からＵＮＩ−ＬＴ部３５で受信する。
【０１０８】
［帯域割当管理シーケンス］
図５は、光集線ネットワークシステム２００のノードの帯域割当管理を示す図である。図３と同一処理部分には、同一符号を付している。図５の帯域割当管理は、上り波長帯と、下り波長帯とに分けられ、図の横方向がデータの通信方向を、縦方向が時間をそれぞれ示している。また、図５のブロック内の数値「１」「２」「３」「４」は、４ノードリング構成（図１参照）の各ノード、すなわち代表ノード１１０（ノード<１>）、ノード１２０（ノード<２>）、ノード１３０（ノード<３>）、ノード１４０（ノード<４>）にそれぞれ対応する。代表ノード１１０（ノード<１>）は、通常のＯＬＴを有する代表ノード、ノード１３０（ノード<３>）はＯＳＵ１３２（ＯＬＴ機能部）が配備されるノードである。また、図４および図５のブロック内網掛け部分は、ＯＬＴ機能部の対応動作であることを示している。
【０１０９】
<上り波長帯>
上り波長帯では、通常の上り信号のＴＤＭＡ（ＯＮＵにおける送信λ切替制御あり）と、中継信号のＴＤＭＡ（ＯＮＵにおける送信λ切替制御あり）と、を用いる。
図１および図５に示すように、ノード１２０（ノード<２>）で送信したデータを代表ノード１１０（ノード<１>）に届ける場合、上りがノード１２０（ノード<２>）で終端するので、ノード１２０（ノード<２>）で送信したデータを代表ノード１１０（ノード<１>）に届ける場合、一回、上り波長帯において通常の上り信号（λＵ１の信号）で、ノード１２０（ノード<２>）から代表ノード１１０（ノード<１>）にデータを送る（「２→１」（図５のＳ１０１参照））。
【０１１０】
まず、上り波長帯において、通常の上り信号の波長λＵ１を用いて、通常の上り信号（λＵ１の信号）がノード１２０（ノード<２>）→ノード１３０（ノード<３>）→ノード１４０（ノード<４>）のデータ通信方向に転送され、ノード１３０（ノード<３>）のＯＳＵ１３２で信号を受信（Drop）しＭＵＸ／ＳＷ部３３で折り返して、ノード１３０（ノード<３>）から代表ノード１１０（ノード<１>）へ中継する。この場合、上り中継は終端しないので、図３のＳ１０２のような遅延は発生しない。
【０１１１】
図５の例では、続いて、ノード１３０（ノード<３>）のＯＮＵ３２ｂは、代表ノード１１０（ノード<１>）へ送信する（「３→１」（図５のＳ１０４参照））。また、ノード１４０（ノード<４>）のＯＮＵは、ノード１４０（ノード<４>）から代表ノード１１０（ノード<１>）へ送信する（「４→１」（図５のＳ１０５参照））。なお、上記Ｓ１０１、Ｓ１０４、Ｓ１０５は、通常の上り信号（λＵ１の信号）を用いた通常のデータ転送機能である。
【０１１２】
ノード１２０（ノード<２>）は、上記「４→１」（図５のＳ１０５参照）のデータ送信後で、後記する中継の上り信号（λＵ２の信号）を用いた中継後に、中継の上り信号の波長λＵ２を、通常の上り信号の波長λＵ１に、送信λ切替を切り替える（図５のＳ２０１参照）。
【０１１３】
ノード１２０（ノード<２>）は、上記データの折返し時に、通常の上り信号の波長λＵ１を中継の上り信号の波長λＵ２に、送信波長を切り替える（図５のＳ２０２参照）。
【０１１４】
次に、上り波長帯において、中継の上り信号の波長λＵ２を用いて、ノード１２０（ノード<２>）は、上り波長帯において中継の上り信号（λＵ２の信号）で、ノード１２０（ノード<２>）からノード１３０（ノード<３>）にデータを送る（「２→３」（図５のＳ２０３参照））。そして、ノード１３０（ノード<３>）は、ノード１２０（ノード<２>）で送信したデータをノード１４０（ノード<４>）に伝送するために（「２→４」（図５のＳ２０４参照））、中継の上り信号（λＵ２の信号）をＯＳＵ１３２で受信して終端し、中継の下り信号（λＤ２の信号）用いて、ノード１２０（ノード<２>）からノード１４０（ノード<４>）にデータを送る（「２→４」（図５のＳ２０５参照））。
【０１１５】
<下り波長帯>
下り波長帯では、通常の下り信号のＴＤＭ伝送（ＯＮＵにおける受信λ切替制御あり）と、中継信号のＴＤＭ伝送（ＯＮＵにおける受信λ切替制御あり）と、を用いる。
図５に示す例では、代表ノード１１０（ノード<１>）は、下り波長帯において、通常の下り信号用のλＤ１の信号を用いて、代表ノード１１０（ノード<１>）からノード１２０（ノード<２>）にデータを送る（「１→２」（図５のＳ１０９参照））。次いで、代表ノード１１０（ノード<１>）からノード１３０（ノード<３>）にデータを送り（「１→３」（図５のＳ１１０参照））、
ノード１４０（ノード<４>）は、後記する中継の下り信号（λＤ２の信号）を用いた中継後に、中継の下り信号の波長λＤ２を、通常の下り信号の波長λＤ１に、受信λ切替を切り替える（図５のＳ１１２参照）。
【０１１６】
ノード１２０は、通常のデータ送信時には、通常の上り信号（λＤ１の信号）を用いたデータ転送を行っているため、中継信号伝送時には、ノード１２０のＯＮＵが送信波長を通常の上り信号の波長λＵ１を中継の上り信号の波長λＵ２に切り替え（図５のＳ２０２参照）処理を行う。
ノード１４０（ノード<４>）は、通常のデータ受信時には、通常の下り信号（λＤ１の信号）を用いた通常のデータ転送を行っている。このため、ノード１４０（ノード<４>）は、中継信号伝送時には、通常の下り信号の波長λＤ１を中継の下り信号の波長λＤ２に、受信λ切替を行う（図５のＳ１１４参照）。
ノード１３０（ノード<３>）は、下り波長帯において、中継の下り信号（λＤ２の信号）を用いて、折り返したデータをノード１４０（ノード<４>）に送る（「２→４」（図５のＳ１１５参照））。そして、ノード１３０（ノード<３>）は、下り波長帯において、中継の下り信号（λＤ２の信号）を用いて、ノード１３０（ノード<３>）からノード１４０（ノード<４>）にデータを送る（「３→４」（図５のＳ１１６参照））。
【０１１７】
ここで、ノード１２０（ノード<２>）が送信する上り信号／中継信号は、ノード１３０（ノード<３>）で終端されるため、ノード１３０（ノード<３>），ノード１４０（ノード<４>）からの上り信号と同一ＴＳ（送信タイミング）を共有できる。
また、ノード１４０（ノード<４>）における波長切替におけるリソース割当制御に加え、ノード１２０（ノード<２>）が通常の上り信号／中継信号の両方を送信するために送信波長切替（チューナブルレーザが出力する波長の設定変更）が必要となる。したがって、波長切替オペレーション中ならびに中継信号の送信中は通常の上り信号を送信することはできない。
【０１１８】
以上説明したように、第２の実施形態に係る光集線ネットワークシステム２００のノード１３０は、ＢＰＦ５１ａの後段にＯＳＵ１３２が決定した波長に応じて、いずれかの系統へとデータを転送するＡＷＧ２５１を配備し、上り中継とＯＮＵ間通信をＡＷＧ２５１で分離し、ＯＮＵ間通信だけＯＳＵ１３２で終端させる。つまり、上り中継はスルーし、ＯＮＵ間通信はＯＳＵ１３２で上りから下りに折り返して転送する。このため、通常の上りでは、λＵ１を用いて、スルーする。また、ＯＮＵ間では、λＵ２を用いてＯＳＵ１３２のＴＲＸ部１５３（ＯＬＴ−Ｒｘ）で受信し、折返後、ＯＳＵ１３２のＴＲＸ部１５３（ＯＬＴ−Ｔｘ）から送信する。
【０１１９】
これにより、第１の実施形態と同様の効果、すなわちデータ伝送の始点と終点のＯＬＴで折り返すＯＮＵ間において、一方の光伝送路に障害が発生しても、他方の光伝送路でデータを伝送することができ、特別なデバイスの追加や伝送遅延を増加させることなく、１＋１プロテクション相当の高信頼なＯＮＵ間通信を行うことができる。
【０１２０】
また、本実施形態では、上りに関しても通常の上り信号と中継の上り信号の波長に分けているので、第２の実施形態と比較して通常の上り通信は遅延の増加が生じない効果がある。ただし、通常の上りと折り返しの波長を分けるため、上り波長数が多く要る。
【０１２１】
（第３の実施形態）
第１の実施形態は、通常の下りと中継の下りとで信号の波長を分け、第２の実施形態は、さらに通常の上りと中継の上りとで信号の波長を分けている。第３の実施形態では、通常の下りと中継の下りとでは信号の波長を分けるが、通常の上りと中継の上りの信号の波長を分けず、かつ終端せずにカプラでコピーして分岐する例である。
【０１２２】
図６は、本発明の第３の実施形態に係る光集線ネットワークシステム３００のＯＳＵ１３２（ＯＬＴ機能部）が配備されるノード１３０の詳細構成を示す図である。図２と同一構成部分には同一符号を付している。
光集線ネットワークシステム３００は、図１の光集線ネットワークシステム１００と同様に、代表ノード１１０と、代表ノード１１０ではないノード１２０，１３０，１４０とが、物理的に独立した２本の信号伝送路としての第１光ファイバ１６および第２光ファイバ１７によってリング状に接続されている。
図６に示すように、光集線ネットワークシステム３００の代表ノード１１０ではないノード１３０は、ＯＳＵ１３２が配備される。
ノード１３０は、光多重分離部３３１と、ＯＳＵ１３２と、ＯＮＵ３２と、ＭＵＸ／ＳＷ部３３と、ＵＮＩ−ＬＴ部３５と、を備えて構成される。
光多重分離部３３１は、ＢＰＦ５１ａ，５１ｂと、カプラ３５１，３５２，３５３と、を備える。
【０１２３】
以下、上述のように構成された光集線ネットワークシステム３００の運用制御方法について説明する。
光集線ネットワークシステム２００の全体動作は、図１の光集線ネットワークシステム１００と同様である。
【０１２４】
［ＯＬＴ機能部が配備されるノードの動作］
図６に示すように、ノード１３０は、カプラ３５１，３５２，３５３で上り／ＯＮＵ間全てをスルー（Through）し、かつ信号を受信（Drop）する。すなわち、
・通常の上りおよびＯＮＵ間はいずれもカプラで分岐し、スルー／Dropする。
上り：Dropされたものは無視する。
ＯＮＵ間：Drop信号を折返後、ＯＳＵ１３２のＴＲＸ部１５３（ＯＬＴ−Ｔｘ）で送信する。
【０１２５】
［ＯＬＴ機能部が配備されるノードの詳細動作］
次に、ＯＳＵ１３２（ＯＬＴ機能部）が配備されるノード１３０の詳細動作について説明する。
光集線ネットワークシステム３００は、上り波長がλＵ（最低１波）、下り波長がλＤ１，λＤ２（最低２波）を使用する。
λＤ１は、通常の下り信号用、λＤ２は、中継信号用である。ここで、下りは連続信号のため、通常の下り信号用と中継信号用は別波長とする必要がある。このため、下り波長ではλＤ１，λＤ２（最低２波）を使用する。なお、ＯＬＴ機能部が配備されるノード数だけ、中継信号用の波長を増やす必要がある。
【０１２６】
データの流れは、下記の通りである。
<自ノードからの上り送信>
図６に示すように、ＵＮＩ−ＬＴ部３５からのデータは、ＭＵＸ／ＳＷ部３３からＯＮＵ３２のＬ１／Ｌ２部５４、さらにＴＲＸ部５３を通って波長λＵで送信された信号がカプラ３５３で多重され隣のノード（ここではノード１４０）へ伝送される。
【０１２７】
<他ノードの上り信号の転送>
ingress側のＢＰＦ５１ａで上りと下り波長帯を分離し、λＵの信号がカプラ３５１、３５３を通過して隣のノード（ここではノード１４０）へ伝送される。
【０１２８】
<代表ノードのＯＬＴが送信した自ノード宛下り信号>
ＢＰＦ５１ａで上りと下り波長帯を分離し、通常の下り信号用のλＤ１の信号がカプラ３５２で光分岐され、ＯＮＵ３２のＴＲＸ部５３、さらにＬ１／Ｌ２部１５４で終端する。Ｌ１／Ｌ２部５４は、自ノード宛信号であることを識別し、ＭＵＸ／ＳＷ部３３からＵＮＩ−ＬＴ部３５で受信する。
【０１２９】
<他ノード宛の下り信号>
ＢＰＦ５１ａで上りと下り波長帯を分離し、通常の下り信号用のλＤ１の信号がカプラ３５２を通過し、egress側のＢＰＦ５１ｂ（カプラでもよい）で上り波長と多重され隣のノード（ここではノード１４０）へ伝送される。
【０１３０】
<ＯＮＵ間通信（他ノード〜他ノード）>
ＢＰＦ５１ａで上りと下り波長帯を分離し、カプラ３５１で分岐されたλＵの信号が一旦、ＯＳＵ１３２のＴＲＸ部１５３、さらにＬ１／Ｌ２部１５４で終端され、Ｌ１／Ｌ２部１５４内部もしくはＭＵＸ／ＳＷ部３３で再度、ＯＳＵ１３２へ折り返される。そして、ＯＳＵ１３２のＬ１／Ｌ２部１５４、さらにＴＲＸ部１５３を通って中継信号用のλＤ２の信号として送信され、カプラ３５２、egress側のＢＰＦ５１ｂを通過して隣のノード（ここではノード１４０）へ伝送する。
【０１３１】
<ＯＮＵ間通信（自ノードが送信）>
ＵＮＩ−ＬＴ部３５からのデータがＭＵＸ／ＳＷ部３３、ＯＳＵ１３２のＬ１／Ｌ２部１５４、さらにＴＲＸ部１５３を通って波長λＤ２で送信され、カプラ３５２、egress側のＢＰＦ５１ｂを通過して隣のノード（ここではノード１４０）へ伝送する。
【０１３２】
<ＯＮＵ間通信（自ノードが受信）>
ingress側のＢＰＦ５１ａで上りと下り波長帯を分離し、カプラ３５１で分岐されたλＵの信号をＯＳＵ１３２のＴＲＸ部１５３、さらにＬ１／Ｌ２部１５４で終端し、電気的に自ノード宛信号を識別してＭＵＸ／ＳＷ部３３からＵＮＩ−ＬＴ部３５で受信する。
【０１３３】
［帯域割当管理シーケンス］
図７は、光集線ネットワークシステム３００のノードの帯域割当管理の例を示す図である。図３と同一処理部分には、同一符号を付している。
図７の帯域割当管理は、上り波長帯と、下り波長帯とに分けられ、図の横方向がデータの通信方向を、縦方向が時間をそれぞれ示している。また、図７のブロック内の数値「１」「２」「３」「４」は、４ノードリング構成（図１参照）の各ノード、すなわちノード１１０（ノード<１>）、ノード１２０（ノード<２>）、ノード１３０（ノード<３>）、ノード１４０（ノード<４>）にそれぞれ対応する。ノード１１０（ノード<１>）は、通常のＯＬＴを有する代表ノード、ノード１３０（ノード<３>）はＯＳＵ１３２が配備されるノードである。また、図６および図７のブロック内網掛け部分は、ＯＬＴ機能部の対応動作であることを示している。
【０１３４】
<上り波長帯>
上り波長帯では、通常の下り信号と、中継信号が伝送される。
第２の実施形態と異なり、通常の上りと中継の上りの信号の波長を分けずにカプラ３５１でコピーして分岐する。
図７に示すように、ノード１２０（ノード<２>）で送信したデータを代表ノード１１０（ノード<１>）に届ける場合、第２の実施形態と異なり、通常の上りと中継の上りとを分けずにカプラ３５２でコピーして分岐する。
【０１３５】
ノード１２０（ノード<２>）は、上り波長帯において、通常の上り信号用のλＵの信号を用いて、ノード１２０（ノード<２>）から代表ノード１１０（ノード<１>）にデータを送る（「２→１」（図７のＳ３０１参照））。次いで、ノード１３０（ノード<３>）は、上り波長帯において、通常の上り信号用のλＵの信号を用いて、ノード１３０（ノード<３>）から代表ノード１１０（ノード<１>）にデータを送る（「３→１」（図７のＳ３０２参照））。次いで、ノード１４０（ノード<４>）は、上り波長帯において、通常の上り信号用のλＵの信号を用いて、ノード１４０（ノード<４>）から代表ノード１１０（ノード<１>）にデータを送る（「４→１」（図７のＳ３０３参照））。
【０１３６】
上記ノード１４０（ノード<４>）から代表ノード１１０（ノード<１>）へデータ転送後（「４→１」（図７のＳ３０３参照））、異なるタイミングで、ノード１２０（ノード<２>）は、上り波長帯において通常の上り信号（λＵの信号）で、ノード１２０（ノード<２>）からノード１３０（ノード<３>）にデータを送る（「２→３」（図７のＳ３０４参照））。上記Ｓ３０３とＳ３０４の送信タイミングが異なっていることが重要であり、この例では、両者の送信タイミングを図７に示すような異なるタイミングとしている。
【０１３７】
ただし、カプラ３５１は、上り／ＯＮＵ間全てでデータをそのまま透過させるので、データはそのままリング上を（通常ＯＬＴまで）周回することになる。このため、上記「２→３」（図７のＳ３０４参照）および「２→４」（図７のＳ３０５参照）のデータ伝送後の部分（図７のハッチング参照）は、他のノードがデータ通信に使用できない部分となる。
【０１３８】
そして、ノード１３０（ノード<３>）は、ＯＳＵ１３２で受信して終端し、通常の上り信号（λＵの信号）を中継の下り信号（λＤ２の信号）に切り替える（図７のＳ３０６参照）。
【０１３９】
<下り波長帯>
下り波長帯では、通常の下り信号のＴＤＭ伝送（ＯＮＵにおける受信λ切替制御あり）と、中継信号のＴＤＭ伝送（ＯＮＵにおける受信λ切替制御あり）と、を用いる。
図７に示すように、代表ノード１１０（ノード<１>）は、下り波長帯において、通常の下り信号用のλＤ１の信号を用いて、代表ノード１１０（ノード<１>）からノード１２０（ノード<２>）にデータを送る（「１→２」（図７のＳ１０９参照））。次いで、代表ノード１１０（ノード<１>）からノード１３０（ノード<３>）にデータを送り（「１→３」（図７のＳ１１０参照））、ノード１４０（ノード<４>）にデータを送る（「１→４」（図７のＳ１１１参照））。
ノード１４０（ノード<４>）は、上記「１→４」（図７のＳ１１１参照）のデータ送信後で、中継の下り信号（λＤ２の信号）を用いた中継後に、異なるタイミングで中継の下り信号の波長λＤ２を、通常の下り信号の波長λＤ１に、受信λ切替を行う（図７のＳ１１２参照）。
【０１４０】
図７の上り波長帯において、ＯＳＵ１３２が、通常の上り信号の波長λＵを中継の下り信号の波長λＤ２に切り替えた後（図７のＳ３０６参照）、図７の下り波長帯において、ＯＳＵ１３２は、データの折返しを行う（図７のＳ１１３参照）。すなわち、上記Ｓ３０６は、下り波長切替を示しているわけでなく、分岐したデータが周回していく様子を示したものである。このタイミングでは、他の通信は使えないため、前述のようにタイミングをずらす必要がある。したがって、ＯＳＵ１３２は上り（Ｓ３０５参照）を一旦終端し、その後折り返して下り（Ｓ１１３参照）を送信する、という動作となる。
【０１４１】
ノード１４０（ノード<４>）におけるＯＮＵは、上記データの折返し時に、通常の下り信号の波長λＤ１を中継の下り信号の波長λＤ２に、受信λ切替を切り替える（図７のＳ１１４参照）。
ノード１３０（ノード<３>）は、下り波長帯において、中継の下り信号（λＤ２の信号）を用いて、折り返したデータをノード１４０（ノード<４>）に送る（「２→４」（図７のＳ１１５参照））。そして、ノード１３０（ノード<３>）は、下り波長帯において、中継の下り信号（λＤ２の信号）を用いて、ノード１３０（ノード<３>）からノード１４０（ノード<４>）にデータを送る（「３→４」（図７のＳ１１６参照））。
【０１４２】
ここで、ノード１２０（ノード<２>）が送信する上り信号／中継信号は、ノード１３０（ノード<３>）のカプラ３５１で分岐され終端されないため、ノード１３０，１４０からの上り信号と別のＴＳ（送信タイミング）を割り当てる必要がある。
また、ノード１４０（ノード<４>）は、通常の下り信号／中継信号の両方を受信するために受信波長切替（チューナブルフィルタが透過する波長の設定変更）が必要となる。このため、波長切替オペレーション中ならびに中継信号の受信中は、通常の下り信号を受信することはできない。
【０１４３】
以上説明したように、第３の実施形態に係る光集線ネットワークシステム３００のノード１３０は、カプラ３５１，３５２，３５３で上り／ＯＮＵ間全てをスルー（Through：転送）し、かつ信号を受信（Drop）する。すなわち、通常の上りと中継の上りとを分けずにカプラ３５１でコピーして分岐する。上りでは、Dropされたものは無視する。また、ＯＮＵ間では、Drop信号を折返後、ＯＳＵ１３２のＴＲＸ部１５３（ＯＬＴ−Ｔｘ）で送信する。
【０１４４】
この構成により、第１の実施形態と同様に、上り波長数が少なく済む利点がある。また、カプラ３５２でコピーして分岐するだけでＯＳＵ１３２に終端させないので、通常の上り通信については遅延の増加が生じない効果がある。ただし、全てカプラによる多重分離なため、全データがリング上を伝送され、リソースのムダ使いが出る虞がある。
【０１４５】
なお、上記各実施形態では、光ＴＤＭ技術を用いたネットワークとして、例えばＰＯＮに代表される通信用のデバイスおよび装置を活用した光伝送装置、光集線ネットワークシステムに適用した場合を例に採り説明したが、外部装置との間で送受信される信号を終端し、制御主体となる光回線終端装置としてのＯＬＴを有する第１光伝送装置と、前記制御主体に対して客体となる光回線終端装置としてのＯＮＵを有する複数の第２光伝送装置とが、少なくとも２本の光伝送路でリング状に接続され、２本の光伝送路を同一の２つのデータが互いに反対方向に経由するネットワークシステム、または光伝送装置であればどのような装置にも適用できる。
【０１４６】
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上述文書中や図面中に示した処理手順、制御手順、具体的名称、各種のデータやパラメータを含む情報については、特記する場合を除いて任意に変更することができる。
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４７】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、または、ＩＣ（Integrated Circuit）カード、ＳＤ（Secure Digital）カード、光ディスク等の記録媒体に保持することができる。
【符号の説明】
【０１４８】
１６，１７  光ファイバ（光伝送路）
２０ａ〜２０ｎ  ＩＯ部（ＳＮＩ−ＬＴ）
２３ａ，２３ｂ，１３１ａ，１３１ｂ，２３１，３３１  光多重分離部
２５  ＳＷ部
２６ａ，２６  ＯＳＵ
３２ａ，３２ｂ  ＯＮＵ
３３  ＭＵＸ／ＳＷ部
３４ａ〜３４ｎ  ＩＯ部（ＵＮＩ−ＬＴ）
３５  ＵＮＩ−ＬＴ部
４１ａ〜４１ｎ，４２ａ〜４２ｎ，４３ａ〜４３ｎ，４４ａ〜４４ｎ  ホストコンピュータ（外部装置）
５１ａ，５１ｂ  ＢＰＦ
５４，１５４  Ｌ１／Ｌ２部
１００，２００，３００  光集線ネットワークシステム
１１０  代表ノード（第１光伝送装置）
１２０〜１４０  （第２光伝送装置）
１１１  ＯＬＴ（第１ＯＬＴ）
１２７  ＤＷＢＡ機能部（パス設定制御手段）
１３２ａ，１３２ｂ  ＯＳＵ（ＯＬＴ機能部）（第２ＯＬＴ）
１５２，２５２，２５３，３５１，３５２，３５３  カプラ
１５３  ＴＲＸ部
２５１  ＡＷＧ
【図１】
0006457914.tif 000002
【図２】
0006457914.tif 000003
【図３】
0006457914.tif 000004
【図４】
0006457914.tif 000005
【図５】
0006457914.tif 000006
【図６】
0006457914.tif 000007
【図７】
0006457914.tif 000008
【図８】
0006457914.tif 000009
【図９】
0006457914.tif 000010